(57)【要約】      （修正有）【課題】ラベルが貼付されていても、このラベル貼付面において、例えばサンドイッチの取出用開口部を広く形成できる技術を提供する。【解決手段】フィルムは、略台形状部１ａと略矩形状部１ｂとが繋がった形状の第１のフィルム１と、略台形状部と略矩形状部とが繋がった形状の第２のフィルムと、第１のフィルムの表面に設けられた第１の開封用テープ３ａ，３ｂと、第１のフィルムの表面に設けられた第２の開封用テープとを具備してなり、第１の開封用テープおよび第２の開封用テープの上端側４ａ，４ｂは、第１のフィルムの略矩形状部に存するように設けられ、第２の開封用テープの下端側５ａ，５ｂは、該包装体の右側面部に存するよう設けられ、第１のフィルムと第２のフィルムとは、台形状部の左右の斜辺に沿って互いに接合されると共に、台形状部の上辺部に沿って互いに接合されてなる。【選択図】図２
2009255930.tif 000002
【特許請求の範囲】
【請求項１】
物を包装してなる包装体であって、
前記包装体の内部の物を取り出す為の開口部形成用の開封用テープが、複数個、設けられてなり、
前記開封用テープの中の第１の開封用テープと第２の開封用テープとは、両者間の寸法が、開封の開始端側より終端側において、大きなように設けられ、
前記第１の開封用テープおよび前記第２の開封用テープの開封開始端側は、包装体内部の物を取り出すことになる取出用主面に存在するよう設けられ、
前記第１の開封用テープの開封終端側は、包装体内部の物を取り出すことになる取出用主面の左側の隣接面に存在するよう設けられ、
前記第２の開封用テープの開封終端側は、包装体内部の物を取り出すことになる取出用主面の右側の隣接面に存在するよう設けられてなる
ことを特徴とする包装体。
【請求項２】
第１の開封用テープおよび第２の開封用テープの開封開始端側を把持できるようにする為の把持片形成用の切込みが形成されてなり、
前記切込みの端部は、該切込みの一端側における延長仮想線が前記第１の開封用テープに交差するよう、かつ、該切込みの他端側における延長仮想線が前記第２の開封用テープに交差するよう形成されてなる
ことを特徴とする請求項１の包装体。
【請求項３】
複数個の物が一緒に包装されてなり、
開封用テープのテープ幅寸法は、前記包装されている複数個の物における１個分の厚さ寸法よりも小さなように構成されてなる
ことを特徴とする請求項１又は請求項２の包装体。
【請求項４】
物を包装する包装体であって、
前記包装体はフィルムで構成されてなり、
前記フィルムは、
前記包装体の少なくとも背面部および側面一部を構成する為、略台形状部と略矩形状部とが繋がった形状の第１のフィルムと、
前記包装体の少なくとも正面部および側面一部を構成する為、略台形状部と略矩形状部とが繋がった形状の第２のフィルムと、
前記第１のフィルムの表面に設けられた第１の開封用テープと、
前記第１のフィルムの表面に設けられた第２の開封用テープ
とを具備してなり、
前記第１の開封用テープおよび前記第２の開封用テープの上端側は、前記第１のフィルムの略矩形状部に存するように設けられたものであり、
前記第１の開封用テープの下端側は、前記フィルムで包装体を構成した時、該包装体の左側面部に存するよう設けられたものであり、
前記第２の開封用テープの下端側は、前記フィルムで包装体を構成した時、該包装体の右側面部に存するよう設けられたものであり、
前記第１のフィルムと第２のフィルムとは、前記台形状部の左右の斜辺に沿って互いに接合されると共に、前記台形状部の上辺部に沿って互いに接合されてなる
ことを特徴とする包装体。
【請求項５】
前記第１のフィルムの略矩形状部には略Ｃ形状の切込みが形成されてなる
ことを特徴とする請求項４の包装体。
【発明の詳細な説明】
【技術分野】
【０００１】
本発明は、例えばサンドイッチ等の食品の包装体に関する。
【背景技術】
【０００２】
近年、コンビニエンスストア等におけるサンドイッチ等の食品の販売量は物凄いものである。このような物品の販売時における包装形態は、図７に示される形態が一般的である。図７中、２１ａ，２１ｂ，２１ｃ，２１ｄはサンドイッチである。２２は包装用フィルムである。尚、サンドイッチ２１ａ，２１ｂ，２１ｃ，２１ｄは、その形状が、一般的には、略直角二等辺三角形状である。このような形状の二枚のパンの間に、具材（例えば、卵・ハム・野菜・チーズなど）が挟まれている。そして、このようなサンドイッチ２１ａ，２１ｂ，２１ｃ，２１ｄが、複数枚、組み合わされ、包装用フィルム２２で包装される。
【０００３】
さて、上記のような包装形態のサンドイッチを購入した消費者は、包装用フィルム２２を破って、開口部を作る。そして、この開口部からサンドイッチを取り出して食する。
【０００４】
このサンドイッチの取出（即ち、包装用フィルム２２を破って開口部を形成）作業を容易にする為、包装体Ｂの背面側に、開封用テープ（ティアテープ）２３が設けられている。すなわち、購入した消費者は、ティアテープ２３に繋がる把持片２３ａを手にし、把持片２３ａを引き下げる。そうすると、図８に示される如く、ティアテープ２３の端縁に沿って包装用フィルム２２が破られ、開口部２４が形成される。そして、この開口部２４からサンドイッチ２１ａ，２１ｂ，２１ｃ，２１ｄを一枚ずつ取り出し、サンドイッチを食している。
【０００５】
ところが、上記のような包装形態のものでは、サンドイッチの取り出しが厄介で、手間取ることに気付くに至った。
【０００６】
すなわち、ティアテープ２３に力を作用させれば、開口部２４を形成できる。しかしながら、一つのティアテープ２３で形成される開口部２４は、その幅が狭い。
【０００７】
つまり、ティアテープ２３の幅は、せいぜい、パン１枚の厚み程度である。従って、開口部２４の幅は、一枚のサンドイッチの厚さの半分程度である。と言うことは、開口部２４から一枚のサンドイッチ２１ａを取り出すに際して、開口部２４の両側のフィルムを横に引っ張って開口幅を拡げなければならない。或いは、開口部２４の両側のフィルム端縁にサンドイッチ２１ａが引っ掛かりながらも無理矢理に取り出さなければならない。
【０００８】
しかしながら、この作業は、簡単では無い。手間取る。更には、場合によっては、具材（例えば、マヨネーズや半熟状の卵と言った流動性の具材）が食み出す。そして、食み出た具材によって、手や衣服が汚れる。
【０００９】
このような問題点を解決するものとして、図９に示されるものが提案（特開２００７−１５３４１０）された。図９中、３１ａ，３１ｂ，３１ｃ，３１ｄはサンドイッチである。３２は包装用フィルムである。３３ａ，３３ｂは、包装体Ｃの背面（背面を構成するフィルム）に設けられた一対の開封用テープ（ティアテープ）である。すなわち、図７のティアテープは一つであるのに対して、図９のティアテープは二つである。従って、一対のティアテープ３３ａ，３３ｂによって形成される開口部３４が、それだけ、広いものになる。よって、図７の場合の問題点が改善されると謳われている。
【特許文献１】特開２００７−１５３４１０
【発明の開示】
【発明が解決しようとする課題】
【００１０】
さて、特開２００７−１５３４１０提案の技術は素晴らしい。
【００１１】
ところが、この提案の技術を製品に応用した場合、問題点の有ることが判って来た。
【００１２】
すなわち、包装体の背面には、通常、ラベル３５が貼付される。すなわち、サンドイッチの加工日、サンドイッチの具材の説明と言った情報を開示したラベル３５が貼付される。
【００１３】
この為、ティアテープ３３ａ，３３ｂに力が作用させられても、ラベル３５が貼付された領域では、フィルム３２が破れ難い。特に、ティアテープ３３ａ，３３ｂの幅が狭いことから、フィルム３２が、一層、破れ難い。すなわち、開口部３４が下まで形成されない。これでは、サンドイッチの取り出しが、やはり、大変である。
【００１４】
さて、ラベル３５を貼付しなければ、問題は無い。ところが、現実には、ラベル３５が必要である。
【００１５】
従って、本発明が解決しようとする課題は、上記の問題点を解決することである。すなわち、ラベルが貼付されていても、広い開口部が形成できる技術を提案することである。つまり、ラベルが貼付されていても、このラベル貼付面において、例えばサンドイッチの取出用開口部を広く形成できる技術を提案することである。更には、ティアテープの幅が狭くても、包装フィルムを容易に破ることが出来る技術を提案することである。
【課題を解決するための手段】
【００１６】
前記の課題は、
物を包装してなる包装体であって、
前記包装体の内部の物を取り出す為の開口部形成用の開封用テープが、複数個、設けられてなり、
前記開封用テープの中の第１の開封用テープと第２の開封用テープとは、両者間の寸法が、開封の開始端側より終端側において、大きなように設けられ、
前記第１の開封用テープおよび前記第２の開封用テープの開封開始端側は、包装体内部の物を取り出すことになる取出用主面に存在するよう設けられ、
前記第１の開封用テープの開封終端側は、包装体内部の物を取り出すことになる取出用主面の左側の隣接面に存在するよう設けられ、
前記第２の開封用テープの開封終端側は、包装体内部の物を取り出すことになる取出用主面の右側の隣接面に存在するよう設けられてなる
ことを特徴とする包装体によって解決される。
【００１７】
特に、上記の包装体であって、
第１の開封用テープおよび第２の開封用テープの開封開始端側を把持できるようにする為の把持片形成用の切込みが形成されてなり、
前記切込みの端部は、該切込みの一端側における延長仮想線が前記第１の開封用テープに交差するよう、かつ、該切込みの他端側における延長仮想線が前記第２の開封用テープに交差するよう形成されてなる
ことを特徴とする包装体によって解決される。
【００１８】
又、上記の包装体であって、
複数個の物が一緒に包装されてなり、
開封用テープのテープ幅寸法は、前記包装されている複数個の物における１個分の厚さ寸法よりも小さなように構成されてなる
ことを特徴とする包装体によって解決される。
【００１９】
又、物を包装する包装体であって、
前記包装体はフィルムで構成されてなり、
前記フィルムは、
前記包装体の少なくとも背面部および側面一部を構成する為、略台形状部と略矩形状部とが繋がった形状の第１のフィルムと、
前記包装体の少なくとも正面部および側面一部を構成する為、略台形状部と略矩形状部とが繋がった形状の第２のフィルムと、
前記第１のフィルムの表面に設けられた第１の開封用テープと、
前記第１のフィルムの表面に設けられた第２の開封用テープ
とを具備してなり、
前記第１の開封用テープおよび前記第２の開封用テープの上端側は、前記第１のフィルムの略矩形状部に存するように設けられたものであり、
前記第１の開封用テープの下端側は、前記フィルムで包装体を構成した時、該包装体の左側面部に存するよう設けられたものであり、
前記第２の開封用テープの下端側は、前記フィルムで包装体を構成した時、該包装体の右側面部に存するよう設けられたものであり、
前記第１のフィルムと第２のフィルムとは、前記台形状部の左右の斜辺に沿って互いに接合されると共に、前記台形状部の上辺部に沿って互いに接合されてなる
ことを特徴とする包装体によって解決される。
【００２０】
特に、物を包装する包装体であって、
前記包装体はフィルムで構成されてなり、
前記フィルムは、
前記包装体の少なくとも背面部および側面一部を構成する為、略台形状部と略矩形状部とが繋がった形状の第１のフィルムと、
前記包装体の少なくとも正面部および側面一部を構成する為、略台形状部と略矩形状部とが繋がった形状の第２のフィルムと、
前記第１のフィルムの表面に設けられた第１の開封用テープと、
前記第１のフィルムの表面に設けられた第２の開封用テープ
とを具備してなり、
前記第１の開封用テープおよび前記第２の開封用テープの上端側は、前記第１のフィルムの略矩形状部に存するように設けられたものであり、
前記第１の開封用テープの下端側は、前記フィルムで包装体を構成した時、該包装体の左側面部に存するよう設けられたものであり、
前記第２の開封用テープの下端側は、前記フィルムで包装体を構成した時、該包装体の右側面部に存するよう設けられたものであり、
前記第１のフィルムと第２のフィルムとは、前記台形状部の左右の斜辺に沿って互いに接合されると共に、前記台形状部の上辺部に沿って互いに接合されてなり、
前記第１のフィルムの略矩形状部には略Ｃ形状の切込みが形成されてなる
ことを特徴とする包装体によって解決される。
【発明の効果】
【００２１】
特開２００７−１５３４１０にあっても、一対の開封用テープ（ティアテープ）３３ａ，３３ｂが設けられている。更に、前記公報の発明の詳細な説明の欄の［００２９］には、ティアテープ３３ａとティアテープ３３ｂとが、略ハ形状に設けられても良いことが記載されている。しかしながら、このティアテープ３３ａとティアテープ３３ｂとが設けられた面は、一つの面（包装体の背面）に過ぎない。ところが、この面（背面）にはラベル３５が貼付される。そして、ティアテープ３３ａとティアテープ３３ｂとが略ハ形状に設けられていても、ティアテープ３３ａ，３３ｂがラベル貼付面に設けられる限り、開口部が形成され難い。すなわち、ティアテープ３３ａとティアテープ３３ｂとが包装体の背面において略ハ形状に設けられても、意味が無い。尚、ラベル３５が添付されると、開口部が形成され難いと言う問題点の認識が、特開２００７−１５３４１０には無い。
【００２２】
これに対して、本発明にあっては、第１の開封用テープおよび前記第２の開封用テープの開封開始端側は、包装体内部の物を取り出すことになる取出用主面（例えば、背面）に存在するよう設けられる。そして、第１の開封用テープの開封終端側は、包装体内部の物を取り出すことになる取出用主面（例えば、背面）の左側の隣接面（例えば、左側の側面）に存在するよう設けられる。かつ、第２の開封用テープの開封終端側は、包装体内部の物を取り出すことになる取出用主面（例えば、背面）の右側の隣接面（例えば、右側の側面）に存在するよう設けられる。
【００２３】
この結果、開封用テープは、例えば背面に添付されたラベルに重ならないようになる。しかも、ラベルが大きな（例えば、包装体の背面の略下半分の全域に亘る大きな）ものであっても、ラベルが開封用テープに重ならないものに出来る。
【００２４】
そして、開封用テープによってフィルムを破り、開口部を形成するに際して、ラベルが邪魔にならない。従って、大きな開口部を簡単に形成できる。特に、開封用テープの幅が狭くても、フィルムを簡単に破ることが出来る。よって、包装体の内部の物を取り出すことが容易になる。
【００２５】
又、上記構成に加えて、下記の要件Ａ，Ｂ，Ｃを更に具備させておくと、更に好ましいことになる。
要件Ａ：第１の開封用テープおよび第２の開封用テープの開封開始端側を把持できるようにする為の把持片形成用の切込みを形成。
要件Ｂ：前記切込みの一端側における延長仮想線が前記第１の開封用テープに交差。
要件Ｃ：前記切込みの他端側における延長仮想線が前記第２の開封用テープに交差。
【００２６】
すなわち、要件Ａ，Ｂ，Ｃを具備させておくと、第１の開封用テープおよび第２の開封用テープに沿っての開口が容易になる。
【発明を実施するための最良の形態】
【００２７】
本発明は包装体である。すなわち、例えばサンドイッチ等の包装体である。特に、幾つかの物が共に包装の包装体である。この包装体は、該包装体の内部の物を取り出す為の開口部形成用の開封用テープが設けられている。この開封用テープの数は、一つでは無く、二つ以上である。そして、開封用テープの中の第１の開封用テープと第２の開封用テープとは、両者間の寸法（距離）が、開封の開始端側より終端側において、大きなように設けられている。例えば、略「ハ」形状、或いは略「∧」形状となるよう設けられている。しかも、第１の開封用テープおよび第２の開封用テープの開封開始端側は、包装体内部の物を取り出すことになる取出用主面（例えば、背面）に存在するよう設けられる。かつ、第１の開封用テープの開封終端側は、包装体内部の物を取り出すことになる取出用主面（例えば、背面）の左側の隣接面（左側の側面）に存在するよう設けられる。又、第２の開封用テープの開封終端側は、包装体内部の物を取り出すことになる取出用主面（例えば、背面）の右側の隣接面（右側の側面）に存在するよう設けられる。
【００２８】
又、好ましくは、次の要件Ａ，Ｂ，Ｃをも満たす。勿論、要件Ａ，Ｂ，Ｃを満たさなくても良い。但し、要件Ａ，Ｂ，Ｃを満たした場合、より好ましいものとなる。要件Ａ：第１の開封用テープおよび第２の開封用テープの開封開始端側を把持できるようにする為の把持片形成用の切込みを形成。要件Ｂ：前記切込みの一端側における延長仮想線が前記第１の開封用テープに交差するよう切込みを形成。要件Ｃ：前記切込みの他端側における延長仮想線が前記第２の開封用テープに交差するよう切込みを形成。
【００２９】
又、好ましくは、次の要件Ｄをも満たす。勿論、要件Ｄを満たさなくても良い。但し、要件Ｄを満たした場合、より好ましいものとなる。要件Ｄ：開封用テープのテープ幅寸法は、包装されている物の一つ分の厚さ（幅）寸法よりも小さい。
【００３０】
上記の説明は、例えばサンドイッチ等の物が包装された状態での表現になる包装体である。包装される前状態で表現すると、例えば次のように表現できる。但し、包装体が略三角柱状体の場合である。包装体はフィルムで構成される。そして、包装体の少なくとも背面部および側面一部を構成する為、略台形状部と略矩形状部とが繋がった形状の第１のフィルムを有する。又、包装体の少なくとも正面部および側面一部を構成する為、略台形状部と略矩形状部とが繋がった形状の第２のフィルムを有する。又、第１のフィルムの表面（例えば、内表面）に設けられた第１の開封用テープを有する。又、第１のフィルムの表面（例えば、内表面）に設けられた第２の開封用テープを有する。第１の開封用テープおよび第２の開封用テープの上端側（開封開始端側）は、第１のフィルムの略矩形状部に存するように設けられる。第１の開封用テープの下端側（開封終端側）は、フィルムで包装体を構成した時、該包装体の左側面部に存するよう設けられる。第２の開封用テープの下端側（開封終端側）は、フィルムで包装体を構成した時、該包装体の右側面部に存するよう設けられる。そして、第１のフィルムと第２のフィルムとは、フィルムの台形状部の左右の斜辺に沿って互いに接合（例えば、熱溶着）されると共に、第１のフィルムの台形状部の上辺部に沿って互いに接合（例えば、熱溶着）される。
【００３１】
又、好ましくは、次の要件Ｅをも満たす。勿論、要件Ｅを満たさなくても良い。但し、要件Ｅを満たした場合、より好ましいものとなる。要件Ｅ：第１のフィルムの略矩形状部には略Ｃ形状の切込みが形成。尚、この要件Ｅが実施された場合、前記要件Ａ，Ｂ，Ｃが満たされるようになる。
【００３２】
以下、具体的に説明する。
図１〜図６は本発明を説明する為のものである。図１は、包装前状態での包装体の平面図（表面図）である。図２は、包装前状態での包装体の背面図（裏面図）である。図３は、裏面側フィルムと表面側フィルムとを溶着して包装体を構成した場合の溶着部を示す説明図である。図４は、包装後（収納後）における包装体の斜視図である。図５及び図６は、包装体の把持片を引っ張って開封する途中での斜視図である。尚、本例では、内部に包装されている物は、例えばサンドイッチである。但し、言うまでも無く、サンドイッチに限られ無い。
【００３３】
各図中、１は第１のフィルム（裏面側フィルム）である。２は第２のフィルム（表面側フィルム）である。これらのフィルムは、図１，２からも判る通り、略台形状部１ａ，２ａと略矩形状部１ｂ，２ｂとが繋がった形状である。例えば、略台形状部１ａ，２ａの下辺（下縁）の長さは、例えば約１７．５ｃｍである。略台形状部１ａ，２ａの上辺（上縁）の長さは、例えば約７．３ｃｍである。略台形状部１ａ，２ａの斜辺の長さは、例えば約２０ｃｍである。略台形状部１ａ，２ａの高さ寸法は、例えば約１９ｃｍである。尚、図１から判る通り、略台形状部１ａの高さ寸法は略台形状部２ａの高さ寸法より多少大きい。略矩形状部１ｂ，２ｂの横方向の長さ（幅）は、例えば約７．３ｃｍである。略矩形状部１ｂ，２ｂの縦方向の長さ（高さ）は、例えば約３．３ｃｍである。勿論、寸法が、これに限られ無いことは当然である。
【００３４】
３ａは、第１のフィルム（裏面側フィルム）１の内面に設けられた第１の開封用テープ（第１のティアテープ）である。３ｂは、第１のフィルム（裏面側フィルム）１の内面に設けられた第２の開封用テープ（第２のティアテープ）である。尚、ティアテープ３ａ，３ｂは第１のフィルム（裏面側フィルム）１の内面に設けられていることから、図面では、本来、点線で表示されるが、便宜上、実線で表示されている。ティアテープ３ａ，３ｂの幅は、例えば約２ｍｍである。ティアテープ３ａ，３ｂの長さは、例えば約１１．８ｃｍである。ティアテープ３ａ，３ｂの上端部４ａ，４ｂは、図２からも判る通り、略矩形状部１ｂの領域に在る。例えば、フィルム上端から約１．７ｃｍの位置に在る。第１のティアテープ３ａの上端部４ａは、略矩形状部１ｂの左端から約９ｍｍの位置に在る。第２のティアテープ３ｂの上端部４ｂは、略矩形状部１ｂの右端から約９ｍｍの位置に在る。第１のティアテープ３ａの下端部５ａは、略台形状部１ａの左端から約３．５ｃｍｍの位置に在る。第２のティアテープ３ｂの下端部５ｂは、略台形状部１ａの右端から約３．５ｃｍｍの位置に在る。尚、ティアテープ３ａ，３ｂは、一つの直線状であっても良い。或いは、折れ曲がった折線状であっても良い。又は、曲線状であっても良い。本実施形態では、折線状である。
【００３５】
６は、第１のフィルム（裏面側フィルム）１の略矩形状部１ｂの領域に形成された略Ｃ形状の切断ライン（切込ライン）である。尚、略Ｃ形状の切断ライン６は、ティアテープ３ａ，３ｂの上部を外側（上側）から包むような位置に形成されている。そして、図２からも判る通り、切断ライン６の一端側６ａは、その延長ラインが第１のティアテープ３ａに対して交差するよう形成されている。又、切断ライン６の他端側６ｂは、その延長ラインが第２のティアテープ３ｂに対して交差するよう形成されている。
【００３６】
７ａ，７ｂは、フィルムにおける略台形状部１ａ，２ａの斜辺位置において、第１のフィルム１と第２のフィルム２とを熱溶着によって溶着した溶着部（接着部）である。７ｃは、フィルムにおける略矩形状部１ｂ，２ｂの上端位置において、第１のフィルム１と第２のフィルム２とを熱溶着によって溶着した溶着部である。７ｄは、フィルムにおける略台形状部１ａ，２ａと略矩形状部１ｂ，２ｂとの境界領域において、第１のフィルム１と第２のフィルム２とを熱溶着によって溶着した溶着部である。これ以外の箇所においては、第１のフィルム１と第２のフィルム２とは溶着されていない。従って、第１のフィルム１と第２のフィルム２との下端側は溶着されていない。そして、この未溶着部において、第１のフィルム１と第２のフィルム２とを互いに遠ざけると、内部に収納できる開口が形成される。
【００３７】
さて、上記のように構成させた包装体において、第１のフィルム１と第２のフィルム２とを互いに遠ざけることで形成された開口から、例えばサンドイッチを収納する。そして、余っているフィルムを適宜折り畳み、粘着テープで封をする。これによって、図４に示される包装体が得られる。
【００３８】
この包装体にあっては、図４からも判る通り、包装体の背面部（ティアテープ３ａ，３ｂでフィルム１を破った場合、例えばサンドイッチ取り出し用の開口（図６参照）が形成される面）から左右の側面部に掛けて、ティアテープ３ａ，３ｂが設けられていることが判る。すなわち、ティアテープ３ａ，３ｂの上端部（開封開始端側）４ａ，４ｂは、包装体の背面部に位置して設けられていることが判る。これに対して、ティアテープ３ａの下端部（開封終端側）５ａは、包装体の左側面に位置して設けられていることが判る。かつ、ティアテープ３ｂの下端部（開封終端側）５ｂは、包装体の右側面に位置して設けられていることが判る。又、ティアテープ３ａとティアテープ３ｂとの間の距離（幅）ｘは、包装体の上部（開封開始端側）から下部（開封終端側）に移るにつれて、長くなっていることも判る。従って、包装体の背面の下半分の箇所にラベル８を貼っても、このラベル８がティアテープ３ａ，３ｂに重なることが無い。よって、ティアテープ３ａ，３ｂに沿ってフィルム１を破るに際して、ラベル８の存在がフィルム１の破断の邪魔にならない。すなわち、開口作業がスムーズになされる。かつ、大きな開口が形成される。従って、内部の物の取り出しがスムーズなものになる。
【００３９】
さて、フィルム１には略Ｃ形状の切断ライン（切込ライン）６が形成されている。これによって、把持片９が構成される。すなわち、フィルム１をティアテープ３ａ，３ｂに沿って破るに際して、把持片９を摘んで行なうことが出来る。従って、開口作業がスムーズになされる。かつ、切断ライン（切込ライン）６の端部６ａ，６ｂがティアテープ３ａ，３ｂに対して交差するよう形成されている。この為、開口作業がスムーズになされた。尚、切断ライン（切込ライン）６の端部６ａ，６ｂがティアテープ３ａ，3ｂに平行な方向に在ると、把持片９を摘んでフィルム１を破ろうとした場合、フィルム１側（背面側）が破れず、フィルム２側（正面側）が破れることが起きた。この為、内部のサンドイッチの取り出しが上手く行なえないことが有った。従って、略Ｃ形状の切断ライン（切込ライン）６の端部を上記のように構成させておくことが好ましいものであった。
【図面の簡単な説明】
【００４０】
【図１】包装前状態での本発明になる包装体の平面図（表面図）
【図２】包装前状態での本発明になる包装体の背面図（裏面図）
【図３】本発明になる包装体の溶着部を示す説明図
【図４】包装後での本発明になる包装体の斜視図
【図５】本発明になる包装体の開封途中での斜視図
【図６】本発明になる包装体の開封途中での斜視図
【図７】従来のサンドイッチ包装体の斜視図
【図８】従来のサンドイッチ包装体の開口途中での斜視図
【図９】従来のサンドイッチ包装体の開口途中での斜視図
【符号の説明】
【００４１】
１                      第１のフィルム（裏面側フィルム）
２                      第２のフィルム（表面側フィルム）
１ａ，２ａ              略台形状部
１ｂ，２ｂ              略矩形状部
３ａ，３ｂ              開封用テープ（ティアテープ）
４ａ，４ｂ              ティアテープ上端部
５ａ，５ｂ              ティアテープ下端部
６                      略Ｃ形状の切断ライン（切込ライン）
７ａ，７ｂ，７ｃ，７ｄ  溶着部
８                      ラベル
９                      把持片
代  理  人  宇      高      克      己
【図１】
2009255930.tif 000003
【図２】
2009255930.tif 000004
【図３】
2009255930.tif 000005
【図４】
2009255930.tif 000006
【図５】
2009255930.tif 000007
【図６】
2009255930.tif 000008
【図７】
2009255930.tif 000009
【図８】
2009255930.tif 000010
【図９】
2009255930.tif 000011